(57)【要約】パッケージは、メールまたはインターネット注文でコンタクトレンズを直接着用者に供給することを提供する。外側の封筒(402)は多量のレンズ(210)のパッケージおよび同じ処方と製造ロットの試用量のレンズ(310)を含む。これらは同時に供給され、多量レンズは不正開封防止シール(212)でパッケージされ、一方、試用レンズは該シールを破ることなしにアクセス可能である。記載された例において、両目のレンズの多量および試用パックを同じ封筒に含む。各多量パックは、３ヵ月着用のための９２個のレンズに、試用パックに４個のレンズの一片が加えられている。試用レンズの一片は、多量パックに含まれる１６個のレンズの６枚のシートの１つから得られる。処方およびロットの詳細は、シール(212)を破くことなしに、多量パッケージの窓を介してブリスターパックから直接読むことができる。
2007512191.tif 000002
【特許請求の範囲】
【請求項１】
着用者にコンタクトレンズを供給する方法であって、多量のレンズおよび該多量レンズと同じ処方の試用量のレンズを同時に供給し、多量のレンズが不正開封防止シールでパッケージされており、一方、試用レンズが前記シールを破かずにアクセス可能に用いることができる、前記方法。
【請求項２】
前記多量のレンズが２〜３ヵ月間の供給を示し、多量レンズの量が６０〜１００個の１日使い捨てレンズの範囲である、請求項１に記載の方法。
【請求項３】
前記多量のレンズが３ヵ月の供給を示し、多量レンズの量が８８〜９６個のレンズの範囲である、請求項１または２に記載の方法。
【請求項４】
試用量のレンズが１０個未満のレンズを含む、請求項１〜３のいずれかに記載の方法。
【請求項５】
試用量のレンズが４または５個のレンズを含む、請求項４に記載の方法。
【請求項６】
試用レンズが、多量レンズのシールされたパッケージの外側に付随するパッケージに供給される、請求項１〜５のいずれかに記載の方法。
【請求項７】
多量レンズ用のシールされたパッケージが、試用レンズを保持するための一体的に外部にアクセス可能なポケットを有する、請求項１〜６のいずれかに記載の方法。
【請求項８】
パッケージされた試用レンズおよび多量レンズが、単一の外部被覆内に供給されている、請求項１〜７のいずれかに記載の方法。
【請求項９】
外部被覆が、各両目用の試用レンズおよび多量レンズのパッケージを含む、請求項８に記載の方法。
【請求項１０】
処方、バッチ番号および製造日などの、多量レンズパッケージ内のレンズのためのレンズ識別情報が、多量レンズパッケージのシールを破る前に可視的である、請求項１〜９のいずれかに記載の方法。
【請求項１１】
前記試用レンズおよび多量レンズが、同じ製造バッチまたは「ロット」を原料とする、請求項１〜１０のいずれかに記載の方法。
【請求項１２】
前記レンズが、１または２枚以上のシートに提供され、各シートが、それぞれ少なくとも１つのレンズを保持し、シール用ホイルでシールされた複数のくぼみを含む、請求項１〜１１のいずれかに記載の方法。
【請求項１３】
くぼみが、形成可能な材料の単一のシートに一体的に形成されたブリスターである、請求項１２に記載の方法。
【請求項１４】
くぼみが、一般的な単一のシール用ホイルでシールされる、請求項１２または１３に記載の方法。
【請求項１５】
前記シートまたはその夫々が、一般的な単一のシール用ホイルに付随する複数の個別に形成された単一のくぼんだブリスターを含む、請求項１２に記載の方法。
【請求項１６】
前記多量パッケージの各シートが１２〜２０個の間のレンズを保持している、請求項１２〜１５のいずれかに記載の方法。
【請求項１７】
シートがさらに、それぞれ曲げモーメントまたは引き裂き動作のシートへの適用により、シートを折り曲げるか引き裂いてレンズの一片にするような、レンズの行の間の弱化領域を含む、請求項１２〜１６のいずれかに記載の方法。
【請求項１８】
製造者が、シートからレンズの行または列を除き、多量のレンズを備えたシートの残りをパッケージし、分けられたレンズを試用量として用いる、請求項１２〜１７のいずれかに記載の方法。
【請求項１９】
試用レンズが、多量パックに含まれるのと同じタイプのシートから分離された一片のブリスターを含む、請求項１２〜１７のいずれかに記載の方法。
【請求項２０】
さらに、着用者が１または２個以上の試用レンズを着用したのちに未開封のシールされたパッケージ内の多量レンズを元に戻す工程を含む、請求項１〜１９のいずれかに記載の方法。
【請求項２１】
眼科医の仲介なしに着用者から注文を受ける前工程を含み、レンズが着用者によって特定化された処方であり、前記パッケージが着用者に直接供給される、請求項１〜２０のいずれかに記載の方法。
【請求項２２】
さらに、眼科医から注文を受ける前工程を含み、レンズが眼科医によって特定化された処方であり、前記パッケージが試用および使用のため直接着用者に届けられる、請求項１〜２１のいずれかに記載の方法。
【請求項２３】
パッケージが多量のレンズおよび該多量レンズと同じ処方の試用量のレンズを含み、多量のレンズが不正開封防止シールでパッケージされており、一方、試用レンズが前記シールを破かずにアクセス可能に用いることができる、コンタクトレンズパッケージ。
【請求項２４】
前記多量のレンズが２〜３ヵ月間の供給を示し、多量レンズの量が６０〜１００個の１日使い捨てレンズの範囲である、請求項２３に記載のパッケージ。
【請求項２５】
前記多量のレンズが３ヵ月の供給を示し、多量レンズの量が８８〜９６個のレンズの範囲である、請求項２３または２４に記載のパッケージ。
【請求項２６】
試用量のレンズが１０個未満のレンズを含む、請求項２３〜２５のいずれかに記載のパッケージ。
【請求項２７】
試用量のレンズが４または５個のレンズを含む、請求項２６に記載のパッケージ。
【請求項２８】
試用レンズが、多量レンズのシールされたパッケージの外側に付随するパッケージに含まれる、請求項２３〜２７のいずれかに記載のパッケージ。
【請求項２９】
多量レンズ用のシールされたパッケージが、試用レンズを保持するための一体的に外部にアクセス可能なポケットを有する、請求項２３〜２８のいずれかに記載のパッケージ。
【請求項３０】
さらに、パッケージされた試用レンズおよび多量レンズを含む外部被覆を含む、請求項２３〜２９のいずれかに記載のパッケージ。
【請求項３１】
外部被覆が、各両目用の試用レンズおよび多量レンズを含む、請求項３０に記載のパッケージ。
【請求項３２】
処方、バッチ番号および製造日などの、多量レンズパッケージ内のレンズのためのレンズ識別情報が、多量レンズパッケージのシールを破る前に可視的である、請求項２３〜３１のいずれかに記載のパッケージ。
【請求項３３】
前記試用レンズおよび多量レンズが、同じ製造バッチまたは「ロット」を原料とする、請求項２３〜３２のいずれかに記載のパッケージ。
【請求項３４】
前記レンズが、１または２枚以上のシートに提供され、各シートが、それぞれ少なくとも１つのレンズを保持し、シール用ホイルでシールされた複数のくぼみを含む、請求項２３〜３３のいずれかに記載のパッケージ。
【請求項３５】
くぼみが、形成可能な材料の単一のシートに一体的に形成されたブリスターである、請求項３４に記載のパッケージ。
【請求項３６】
くぼみが、一般的な単一のシール用ホイルでシールされる、請求項３４または３５に記載のパッケージ。
【請求項３７】
前記シートまたはその夫々が、一般的な単一のシール用ホイルに付随する複数の個別に形成された単一のくぼんだブリスターを含む、請求項３４に記載のパッケージ。
【請求項３８】
前記多量パッケージの各シートが１２〜２０個の間のレンズを保持している、請求項３４〜３７のいずれかに記載のパッケージ。
【請求項３９】
シートがさらに、それぞれ曲げモーメントまたは引き裂き動作のシートへの適用により、シートを折り曲げるか引き裂いてレンズの一片にするような、レンズの行の間の弱化領域を含む、請求項３４〜３８のいずれかに記載のパッケージ。
【請求項４０】
試用量がシートから除かれたレンズの行または列を含み、シートの残りが多量のレンズに含まれる、請求項３４〜３９のいずれかに記載のパッケージ。
【請求項４１】
試用レンズが、多量パックに含まれるのと同じタイプのシートから分離された一片のブリスターを含む、請求項３４〜３９のいずれかに記載のパッケージ。
【請求項４２】
さらに、１または２個以上の試用レンズを着用後、未開封のシールされたパッケージ内の多量レンズを返却するのに着用者によって用いられる郵送用封筒またはラベルを含む、請求項２３〜４１のいずれかに記載のパッケージ。
【請求項４３】
眼科医の仲介なしに着用者から直接郵送されるのに特に適合された、請求項２３〜４２のいずれかに記載のパッケージ。
【請求項４４】
さらに、供給者からさらなるレンズのパッケージを注文するための、注文書および／または着用者に特異的な情報が印刷された取扱説明書を含む、請求項２３〜４３のいずれかに記載のパッケージ。
【発明の詳細な説明】
【技術分野】
【０００１】
本発明はコンタクトレンズ用のパッケージングに関し、特に、製造者から直接消費者へ配送することをサポートするパッケージングに関する。さらに本発明は、試用および継続使用のためのコンタクトレンズの供給方法に関する。
【背景技術】
【０００２】
眼鏡技師は、処方を決定し、多量の「市販レンズ」を供給する前に、慣用的に、コンタクトレンズの使用者（または「着用者(wearers)」）に「試用レンズ（trial lenses）」を用いるための短い試用期間を認める。これらの試用の目的は、レンズが快適か否かを使用者に評価させ、（使用者に必要とされるレンズのおそらく必要な矯正力を決定するであろう）実際の視力検査に沿って、一般的に良好な視力矯正を提供する。試用期間は、普通は数時間で、使用者は、試用レンズを装着し、少し歩いて、そして診療所に戻ってくるように求められる。次いで、この試用は、再び使用者に、とくに新しい使用者に、多量（quantities in bulk）に支給される前に、製品に安心する機会を与えるために、数日、例えば、２〜４日間延長され得る。
【０００３】
試用レンズは、しばしばレンズ製造者によって無料で眼鏡技師に提供され、しばしば試用目的のみに限り無料で提供される条件の「再販不可」パックで入手できるようになっている。
【０００４】
試用レンズは、良好な試用期間の後に調整された市販レンズと全く同じでであるのが理想的ではあるが、後者は、同じ製造者からであっても、おそらく完全に異なるバッチまたは「ロット」であろうことに注意すべきである。このように市販レンズは、最も先進の製造方法においてさえも予想されるわずかなバッチ間のばらつきのため、正確な処方（例えば、レンズの度）および／または正確なフィットにおいてわずかにばらつき得る。
【０００５】
眼科医または眼鏡技師によって提供された処方もまた一般的に正確である一方で、０．２５ジオプターのばらつきがあり得る。これに加え、コンタクトレンズは、正確に測定されるかもしれないが、次いで最も近い０．２５ジオプターの最小在庫管理単位があてがわれるかもしれない。常用のために調整されたレンズが「切り捨て」により読まれた度を有するかもしれないのに、試用レンズが「切り上げ」によって割り振られた度を有するバッチからであるかもしれない。
【０００６】
コンタクトレンズ製造における発展
大量生産された使い捨てコンタクトレンズ、とくに１日使い捨てレンズの導入によって、相当高い製造規格およびより大きなレンズ間の一貫性がもたらされた。これらのレンズは、使い捨てレンズの出現前のコンタクトレンズの製造を特徴付けた個々の旋盤切断の、よりばらつきのある方法とは異なり、高度に正確な光学的な型枠において液体モノマーの成形によって作られる。このタイプの方法は、本発明者らの同時係属中の出願であるWO 03/039969（代理人整理番号63965WO）およびPCT/GB2004/003211（代理人整理番号64439WO、本件出願日に公開されていない）に記載されている。
【０００７】
また、かつて多くは規制されていない製造方法が、だんだんと個々の規制認可の対象となってきた。このことは、必然的に、製造および販売されるより一貫したコンタクトレンズ製品をもたらした。
【０００８】
ソフトコンタクトレンズの調整における発展
製造方法の一貫性における前記の改善によって、コンタクトレンズおよびそれらの関連した洗浄液の流通が資格のある眼鏡技師による直接のフィッティング／調整による以外で、次第に入手可能になっている。例えば、コンタクトレンズ用溶液は、今や全ての主要国のスーパーマーケットによって売られ、コンタクトレンズ自体は薬局で販売されるようになり、使用者は単に陳列棚から、所望の処方（レンズの度）のレンズを選択する。いくつかの国、例えば、ドイツでは、コンタクトレンズの供給は、眼鏡技師か薬局型薬剤師（pharmacy-type dispensers）によるいかなる形式の相談または試験の必要なしに、通信販売またはその他の直接的な供給手段で容易に販売することができる。
【０００９】
最後に、インターネットを介する購入商品の承認が増えることは、使用者が、眼鏡技師からレンズの度の処方を得ることを選ぶが、次いで、国境を越えて経営している多くのインターネット上の供給者からより低い価格で入手するため、インターネットを介してレンズを購入することを選択することを意味する。インターネットはまた、厳格な規制によって、処方を書くのに眼科医の直接的な関与が要求され、次いで眼鏡技師が眼科医の処方箋に従ったレンズを販売することが要求されている国においても、使用者は、一旦処方を手に入れて、海外の供給者から、例えばインターネットを介して、単に購入することができ、またそうすることを意味する。
【００１０】
使用者の短期試用の欠落
薬局から、またはインターネットを介して、または通信販売で、処方箋に基づいてレンズを購入することは、先に記載した使用者の短期試用の有用な便益を除外することを示している。従来の使用者の短期試用は、いくらか制限があるかもしれないが、それにもかかわらず、使用者にとって有益な保障である。
【発明の開示】
【００１１】
本発明の目的は、使用者の短期試用によってもたらされる利益を維持または改善しながら、コンタクトレンズを提供するより柔軟な方法を提供することである。
【００１２】
本発明の態様は、レンズの直接の購入者に、１）大量に購入する必要なく、レンズを試用する手段、および２）試用レンズと多量の市販量のレンズとの間の質と処方を維持する方法を提供する。これらの態様はまた、このようなレンズの供給者に、単一の製造方法を用いて、１）可能な限り効率的にレンズのバッチナンバーを追跡すること、２）不正（tampering）の虞なしにレンズを在庫に戻すこと、および３）単一取引で多量および試用レンズを供給することを可能にする。
【００１３】
本発明は、着用者にコンタクトレンズを供給する方法であって、多量のレンズおよび該多量のレンズと同じ処方の試用量のレンズを同時に供給し、多量のレンズが不正開封防止シールでパッケージされており、一方、試用レンズが前記シールを破かずにアクセス可能に用いることができる、前記方法を提供する。
【００１４】
前記多量のレンズは、２〜３ヵ月分の供給（例えば、６０〜１００個の１日使い捨てレンズ）を示し得る。３ヵ月間の供給のため、多量レンズは、８８〜９６個のレンズの範囲でもよい。
【００１５】
試用量のレンズは、１０個未満のレンズを含んでいてもよく、好ましくは４または５個のレンズを含んでいてもよい。
【００１６】
試用レンズは、多量レンズのシールされたパッケージの外側に付随するパッケージに供給され得る。多量レンズ用のシールされたパッケージは、試用レンズを保持するための一体的に外部にアクセス可能なポケットを有し得る。代替的に、または付加的に、試用レンズおよび多量レンズのパッケージングは、単一の外部被覆内に供給され得る。これらの統一されたパッケージデザインによって、製造者および／またはサプライチェーンにおける他の人の取り扱いおよび出荷を簡素化される。それはまた、流通およびパッケージング費用を低減し、また誤りが生じる機会を最小化する。
【００１７】
パッケージされたレンズは、一般的に、処方、バッチ番号および製造日などの識別情報とともに提供される。好ましくは、試用および多量レンズの識別情報は、多量レンズパッケージのシールを破る前に可視的である。多量レンズパッケージは、とくに多量レンズパッケージのシールを破ることなしに内容物の詳細を見ることができる隙間があり得る。このことは、使用者がシールを破る前に処方を確かめることを可能にし、レンズを扱う誰もが容易に処方を認識することを可能にする。
【００１８】
試用レンズおよび多量レンズは、好ましくは、同じ製造バッチまたは「ロット」を原料とする。多量パックを開く場合、同じバッチからレンズの原料を示すことによって、使用者が試用したレンズと同じ処方および快適さを有するであろうことを保証することができる。このことは、上述した試用レンズのより伝統的な方法における問題に対処する。製造者に対するさらなる利点は、彼らは、試用パックおよび多量パックに対して別々に行うよりも、品質管理目的のため、１セットの情報を追跡するだけであることである。
【００１９】
レンズは１または２枚以上のシートに提供され、各シートが、それぞれ少なくとも１つのレンズを保持し、シール用ホイルでシールされた複数のくぼみを含んでいてもよい。
【００２０】
くぼみは、形成可能な材料の単一のシートに一体的に形成されたブリスターであり得る。それらは個々にシールされるか、一般的な単一のシール用ホイルでシールされ得る。代替的に、該シートまたはその夫々のシートが、一般的な単一のシール用ホイルに付随する複数の個別に形成された単一のくぼんだブリスターを含み得る。
【００２１】
多量パッケージにおいて、各シートは、シートの構造に応じて、１２〜２０個のレンズを保持し得る。例えば、４×４のレンズのシートには１６個のレンズ、または５×３のレンズのシートには１５個のレンズである。
【００２２】
シートは、さらに、シートへの曲げモーメントの適用によって、または引き裂きのための、シートを折り曲げレンズの一片にするような、レンズ並びの行列の行の間の弱化領域を含み得る。製造者は、シートからレンズの行または列を除き、多量のレンズを備えたシートの残りをパッケージし、分けられたレンズを試用量として用い得る。代替的に、試用レンズは、多量パックに含まれるのと同じタイプのシートから分離された一片のブリスターを含み得る。いずれの方法も、最後のパッケージング段階に至るまで、試用レンズの処理が多量レンズの処理と同じであることを可能にする。
【００２３】
本方法は、さらに着用者が１または２個以上の試用レンズを着用したのちに未開封のシールされたパッケージ内の多量レンズを元に戻す工程を含んでもよい。
【００２４】
本方法は、眼科医の仲介なしに着用者から注文を受ける前工程を含み、レンズが着用者によって特定化された処方であり、前記パッケージが着用者に直接供給されてもよい。
【００２５】
本方法は、眼科医から注文を受ける前工程を含み、レンズが眼科医によって特定化された処方であり、前記パッケージが試用および使用のため直接着用者に届けられてもよい。
【００２６】
試用レンズは、同じ着用者に続いて供給する場合、省略されてもよいか、またはレンズを供給するときはいつも含まれ得る。
【００２７】
本発明は、さらにコンタクトレンズパッケージを提供し、該パッケージは多量のレンズおよび該多量レンズと同じ処方の試用量のレンズ含み、多量レンズが不正開封防止シールでパッケージされており、一方、試用レンズが前記シールを破かずにアクセス可能に用いることができる。
【００２８】
本パッケージは、前述の本発明に従う供給方法を実行する際に用いてもよい。本パッケージは、本方法と関連して、前述の任意かつ有利な特徴のいずれかを有し得る。
【００２９】
実施態様の詳細な説明
インターネット、通信購入または他の直接購入スキームは、典型的には、右目用に処方（度）された９０個のレンズおよび左目用に処方された９０個のレンズとして記載される、３ヵ月供給のレンズを得るために最も一般的に用いられる。９０個のレンズは、一般にフラットのシートまたは１５個の個別にパックされたレンズの「ホイル」で提供される（現実のレンズは滅菌されたプラスチックの「ブリスター」内にある）。
【００３０】
図１ａおよび１ｂは、それぞれ、１つの処方（即ち、１つの目用）の１６個のコンタクトレンズのシート１００の平面図および側面図であり、各レンズは、一般的なホイル１１２でシールされた滅菌されたくぼみまたは「ブリスター」１１０にある。見ることができるように、レンズを含む各個別のブリスター１１０を覆うホイル１１２には、入っているレンズの度（処方）１２０（この例として、−６．５０ジオプター）が目立つように印刷されている。製造者は、製造された製品のロットまたはバッチ番号を保有し、そのようなバッチ番号は、特定のバッチの正確な日および用いられた製造方法の参照となる。当業者は識別またはタグ付けの他の方法がトレーサビリティーを提供することができることを理解しているのであるが、バッチ番号はまた、各番号１２２に印刷される。任意の所望の商標を伴なって、示されるように他の原文の情報を適用することができる。これらは、ここに記載された発明に関連しない。
【００３１】
ホイル１１２には、弱化された（例えば、ミシン目によって）レンズの行の間の領域１３０が組み込まれ、レンズの一片をシートから、ホイル１１２への曲げモーメントの適用によって折り曲げ取る（ホイルを無傷にシールしたまま）、または引き裂くことができる。
【００３２】
図２は、１日使い捨ての着用で３ヵ月以上十分な総計９６個のレンズの６枚のシートのスタックを含む多量のレンズ２００の断面図である。これらのシートは、不正開封防止シール２１２が提供された箱２１０内に包含される。６枚のこのようなシート１００は、典型的に供給される９０個のレンズをわずかに超えた供給を提供する。製造者の「ロット」またはバッチは、全て同一の条件下で製造された数千のコンタクトレンズからなり、したがって、９６個のレンズのスタックは、単一のバッチから由来する９６個の同一のレンズからなる。度のしるし１２０、バッチ番号１２２などをシール２１２を破ることなく見ることができるように、窓２２０が箱に提供される。当業者は、各シートのブリスターの４×４の構造が必須ではなく、他のフォーマット、例えば、１シートあたり５×３ブリスターなどで十分であることを理解する。
【００３３】
図３ａおよび３ｂは、それぞれシート１００の１つから分離され、それぞれレンズを包含する４個のブリスターの一片と、レンズの試用パック３１０を表す平面図である。この図の試用パックは、使用のため手引きが印刷されてもよい単なる紙の被覆を含む。試用レンズは、同じ製造バッチから由来することによって、多量のものと同じである（そして、そのように示される）。試用パック３１０は、以下に示すように、多量パックのレンズ２１０に付随して、または含まれている。試用パックのレンズはまた、さらに使用者にパッケージの完全性を示すため、不正開封防止シール３２０を有していてもよい。
【００３４】
４個のレンズが図２に示されるシートの１つから分離された場合、レンズを含む９２個のブリスター１１０がスタック２００内に残る。代替的なオプションは、各多量パック２１０に６枚のフルシート（計９６個）の各多量２００を提供することであり、同じバッチからではあるが他のシートからの４個のレンズの試用片を供給することである。このアプローチは、多量パック２１０が開封されず返却され、そして不完全なシートを捨てる必要なく製造者は６枚全てのシートをストックに戻したい場合、商業的に有利であるかもしれない。選択は、試用パックを全ての多量パックとともに供給するか、または新しい処方とともに消費者のためにそれらだけを供給するかによるかもしれない。
【００３５】
図４は、片目に１つずつで計２つの多量パックのレンズおよび、片目に１つずつで計２つの試用パック３１０を含む、出荷箱４００の形態で硬い外部被覆を含む完全なパッケージを示す。両方のパックをカバーする大きなフラップ４０２は、開かれた状態に示されており、両方の多量パック２１０が明かされ、処方および他の識別情報１２０，１２２を見るための夫々の窓２２０がある。空間にはまた、着用者にどちらのレンズのセットが左目用で、どちらのレンズのセットが右目用かを注意するようにパックに適用されるＬ／Ｒ表示４０４が提供される（処方は、一般的に夫々の目で異なる）。製造者はさらに、完全な出荷パックが閉じた状態のままにしておく不正開封防止シールを提供することを選択し得る。フラップ４０２の内部に、着用者のための書かれたまたは図解の取扱説明書に便利な表面を提供する。勿論、これらを個々のパック２１０および／または分離したリーフレットに配置することができる。片目あたり計９６個のレンズの２セットを次いでエンドユーザーに向けて発送することができる。
【００３６】
フラップ４０２は、パッケージの内部の配達書（示さず）に記載された場合、郵便サービスによって見られるための宛先住所の詳細のための窓４０６を含む。この配達書はまた、処方情報、ロット番号、課金情報、再注文のための説明、眼科医の商標などを含むことができる。窓４０６の代替として、勿論、箱の外側にラベルを提供することもできる。しかしながら、この場合、パックする人は、ラベルの詳細が内側に提供された詳細および内容物と合うことに注意しなければならない。
【００３７】
４個（または５個、「ドナー」シート１００の構成による）のレンズ１１０の一片３００を組み込むことの簡単で便宜的であることによって、使用者は、多量パックの不正開封防止シール２１２を破き、多量パック２１０のレンズを開封する前に、各目のための簡単な短期の試用を行なうことができる。試用パック４１０に含まれる試用レンズ３００の着用によって、使用者に幾分の満足できない特徴（例えば、不快または不正確な処方）が示唆された場合、その人は、全部または一部のクレジットが未開封の多量パック２１０を返却する機会を提供され得る。また、そのような試用量の供給には、レンズの評価を行なう必要性を使用者に強調するという有益な心理的効果があり、パック２１０を返却する簡便さは、使用者が、十分に満足できないかもしれない製品の使用に固執することを思いとどまらせる。前払い返却用ラベルまたは封筒（示さず）は、所望の場合、提供され得る。多量パック２１０が適所の不正開封防止シール２１２とともに返却されることを保証することによって（試用失敗の場合）、返却されたレンズは、製造者のストックに返却されることができる。
【００３８】
さらに、同じバッチから供給された試用レンズ３００および多量レンズ２００を有し、多量パック２１０を開封することなしにロットまたはバッチ番号１２０を容易に読み取り可能にするという明確な利点がある。通常の着用体験のための試用と同類を保証する明白な利益に加え、試用レンズと市販のレンズとを別々に出荷する必要がないので、出荷のコストは顕著に低減される。規則では、しばしばレンズ製造者および／または販売する眼鏡技師が、各患者に調整されたバッチまたは「ロット」番号１２０を記録することを求められている。レンズ１１０を提供する本方法は、同じバッチから試用レンズ３００および市販用の多量レンズ２００を調達することによって、販売方法および特定のバッチに影響する問題がレンズが発送された後に発見された場合、必要であろう続く製造リコールが大いに簡素化される。 
【００３９】
図５は、４個の試用レンズ５００の一片がシールされた多量パック５１０の外側に、まだ残っている間ホイルについている、多量および試用レンズのパッケージングの概念のさらなる態様を示す。使用者は、多量パックのシール５１５を破かないで突出したレンズの一片を折り曲げるか引き裂き、これら４個のレンズを試用レンズとして用い、試用の結果が分かるまで残りのレンズを不正開封防止シールされたままにしておく。パッケージ５１０から突出した試用レンズ５００の不正開封防止シールは、「ブリスターパック」のコンタクトレンズのパッケージングで本来的に提供されるホイルシールで提供される。当業者は、シートの異なる構造によって、多量パックから突出した異なる量の試用レンズ（例えば、３個または５個）となってもよい。
【００４０】
この態様は、前記の利点を提供しながら、そしてパッケージに窓２２０を提供する必要なしで、レンズの簡単な識別５２０（処方、バッチ番号および製造日）を提供する。一方、着用者の各目に対する処方に従い選択された２つのそのようなパックは、図４に示したような単一の出荷パックに組み合わせることができる。
【００４１】
図６は、各試用パック３１０が対応する多量パック１１０の側面（または任意の面）に簡単に糊付けされている単に詰められた封筒６００を含む代替的な出荷パックを示す。一方、試用レンズが試用されている間、多量パックのシール１１２は元の状態のままである。図４を参照して前述するように、住所窓または郵送ラベル６０２が外部被覆に提供される。
【００４２】
図７は、他の可能性を示し、ここで多量パックの箱７００は、試用パック３１０がスロットされるようなポケットを含むように形成されている。これは、輸送中の試用パックへの被害を回避することを助け、試用片の周りの被覆の必要性を解消し得る。勿論、箱７００は、製造するために、より複雑であって、したがって図２の箱２１０より高価であるかもしれない。
【００４３】
図８は、前記のパックの使用によって可能になった供給方法のいくつかを示す。最初の方法の当事者は、製造者または他の提供者Ｐおよび着用者Ａである。着用者Ａは、各目に適切な処方のパックに対する注文８０２をするために、自身の処方を知り、提供者のウェブサイトまたは他のチャンネルを用いる。支払いはクレジットカードなどによってなされる。提供者Ｐは、関連する試用パックとともに、正しい処方の多量パックを含む郵便か宅配でパック８０４を送達する。パック８０４は、例えば、図４または図６に示される形態を有していてもよい。
【００４４】
任意に、着用者Ａは、各パックのレンズの数に対応する所定の間隔で、さらなるパック８０６，８０８の供給のための継続注文がセットアップされる。最初のパックの後の各パックが試用パックを含むか、または与えられた消費者／処方のための最初のパックだけにするかは、提供者によって決定されるべき問題である。
【００４５】
他の方法において、着用者Ｂは最初に、１日使い捨てレンズへのその人の処方および適合を確立するために、例えば、大通り沿いの店で、眼科医または同様の仲介者Ｏを訪問８２０する。次いで、仲介者Ｏは、提供者Ｐに注文８２２をする。その後、試用レンズが含まれているレンズ８２４の最初のパックを着用者Ｂに出荷する。一方、着用者Ｂは、いずれの多量パックのシールを破る前に、数日間試用レンズを試す。
支払いは、この場合、少なくともはじめに仲介者になしてもよく、または支払明細は提供者Ｐによって渡されてもよい。一方、継続注文をセットアップするためのオプションがあり、所望により仲介者によって、または直接的に提供者によって管理され得る。
【００４６】
さらに、供給が提供者Ｐから着用者に直接的な場合でも、仲介者の商標をパッケージ、請求書などに用いることができる。このことにより、直接供給および大量生産の節約を維持しながら、注文サービスの錯覚（illusion）を保てる。
【００４７】
これらの任意のシナリオにおいて、試用レンズがうまくいかない場合、着用者（この図ではＢ）は、含まれるパッケージおよび返却ラベルを用いて未開封で提供者に多量パックを返却８２６することができる。ラベルによって最初の注文の識別が可能なので、支払いの払い戻しを提供することができる。適切な追跡のコンタクトを準備するため、自動的に通知を仲介者に渡すことができる。
【００４８】
本発明が、記載された要素および他の特徴が組み合わされた多くの異なった供給シナリオを開いたことが理解される。安全で安価な供給にアクセスすることからの着用者への利益と同様、仲介者は、付加価値サービスの最もよい特徴を伴う直接供給の利点を組み合わせることによって利益を得ることができる。
【００４９】
当業者は、本発明の精神と範囲を逸脱することなしに、使用される要素および方法の正確な形態を本明細書に記載のことを改変することができることをさらに理解する。
【００５０】
図面の簡単な説明
本発明の実施態様は、例としてのみ、添付図面の参照によって説明される。
【図面の簡単な説明】
【００５１】
【図１ａ】個々に滅菌した「ブリスター」パック内の１６個のコンタクトレンズの「ホイル」またはシートの平面図である。
【図１ｂ】個々に滅菌した「ブリスター」パック内の１６個のコンタクトレンズの「ホイル」またはシートの側面図である。
【図２】典型的には、１日使い捨ての着用で３ヵ月以上に十分である９６個のレンズの６枚のシートのスタックの側面図である。
【図３ａ】シートの１つから分離された４個のレンズの一片の平面図である。
【図３ｂ】レンズの試用パックを示す平面図である。
【図４】各目のためのレンズの多量パックおよび夫々の試用パックを含む出荷パックを示す図である。
【図５】パッケージの他の形態を示す図である。
【図６】パッケージの他の形態を示す図である。
【図７】パッケージの他の形態を示す図である。
【図８】図４〜７のパックを用いた、着用者へのレンズの異なる供給方法を示す図である。
【図１ａ】
2007512191.tif 000003
【図１ｂ】
2007512191.tif 000004
【図２】
2007512191.tif 000005
【図３ａ】
2007512191.tif 000006
【図３ｂ】
2007512191.tif 000007
【図４】
2007512191.tif 000008
【図５】
2007512191.tif 000009
【図６】
2007512191.tif 000010
【図７】
2007512191.tif 000011
【図８】
2007512191.tif 000012
【手続補正書】
【提出日】平成17年9月26日(2005.9.26)
【手続補正１】
【補正対象書類名】特許請求の範囲
【補正対象項目名】請求項１
【補正方法】変更
【補正の内容】
【請求項１】
着用者にコンタクトレンズを供給する方法であって、多量のコンタクトレンズおよび該多量レンズと同じ処方の試用量のコンタクトレンズを同時に供給し、多量のレンズが不正開封防止シールでパッケージされており、一方、試用レンズが前記シールを破かずにアクセス可能に用いることができる、前記方法。
【手続補正２】
【補正対象書類名】特許請求の範囲
【補正対象項目名】請求項２３
【補正方法】変更
【補正の内容】
【請求項２３】
パッケージが多量のコンタクトレンズおよび該多量レンズと同じ処方の試用量のコンタクトレンズを含み、多量のレンズが不正開封防止シールでパッケージされており、一方、試用レンズが前記シールを破かずにアクセス可能に用いることができる、コンタクトレンズパッケージ。
【国際調査報告】
2007512191.tif 000013
2007512191.tif 000014
2007512191.tif 000015